(57)【要約】【課題】タバコを止めたい喫煙者の喫煙欲求を適切に抑える助言を行なう禁煙支援装置を提供する。【解決手段】演算装置と表示部と操作部およびデータベースを少なくとも有し、プログラムを起動するとデータベースのあらかじめ選択された選択肢から選ばれた喫煙欲求をそらすためのメッセージが表示されることを特徴とし、被験者があらかじめ端末より助言内容を選択し、登録する。助言が必要になったとき、選択された助言の中から選択し表示する。【選択図】図１
2006259977.tif 000002
【特許請求の範囲】
【請求項１】
演算装置と表示部と操作部およびデータベースを少なくとも有し、プログラムを起動するとデータベースのあらかじめ選択された選択肢から選ばれた喫煙欲求をそらすためのメッセージが表示されることを特徴とする禁煙支援装置。
【請求項２】
表示するメッセージの候補を被験者があらかじめ選択しておくことを特徴とする請求項１記載の禁煙支援装置。
【請求項３】
表示するメッセージの候補を被験者の周囲者があらかじめ選択しておくことを特徴とする請求項１記載の禁煙支援装置。
【請求項４】
表示するメッセージの候補を被験者と面談した面談者があらかじめ選択しておくことを特徴とする請求項１記載の禁煙支援装置。
【請求項５】
表示するメッセージをあらかじめいくつかの群に分けておき、被験者の条件から類型判断し、選択するメッセージ群を決定することを特徴とする請求項１に記載の禁煙支援装置。
【発明の詳細な説明】
【技術分野】
【０００１】
本発明は禁煙を志望する禁煙者を支援するための禁煙支援装置および装置に搭載されるプログラムに関する。
【背景技術】
【０００２】
タバコをやめる禁煙を阻害する要因は２つあり、１つは薬物であるニコチンの中毒症状、もう１つは精神的な弱さである。ここでは、本発明に関連する精神的な問題について述べる。
【０００３】
禁煙者の喫煙欲求は恒常的に同じレベルで推移しているわけではなく、吸いたい欲求が高まるときとそうでないときがある。それゆえに、吸いたい欲求が高まるときに、何らかの手段で喫煙欲求をそらすことが禁煙のための有力な手段である。
【０００４】
従来の手法としては、「インターネット禁煙マラソン」のように吸いたくなったときにするべきことを自分で見つけておく方法や、携帯より医師に連絡してその旨告げて励まし、喫煙を避けるための助言をもらうものなどがあった（非特許文献１）。
【非特許文献１】９９％禁煙できる本、阿部眞弓、三笠書房、２００１、Ｐ１３７
【発明の開示】
【発明が解決しようとする課題】
【０００５】
しかしながら従来例において、例えば自分でみつけておく方法においては、本人の努力が十分でなく、前々から見つけておくことをしなかったり、しても広いバリエーションの選択肢を用意できないために、有効でないという問題がある。また、医師に連絡して励ましをもらう手段に関しては、医師が常に待機できないという問題もあり、また、人的手段であるがゆえに人件費の問題が発生する。
【０００６】
また、あらかじめ用意した複数の助言から適当に選択すると、その助言が本人にそぐわないもので役に立たないことがある、という問題が発生する。
【０００７】
本発明はこれらの問題を解決し、的確な助言ができる禁煙支援装置の提供を目的とするものである。
【課題を解決するための手段】
【０００８】
本発明は、喫煙欲求に対し的確な助言を提供する禁煙支援装置に関するものである。
【０００９】
請求項１の発明においては、助言を選択しておくことで、無効な助言をなくすものである。
【００１０】
請求項２の発明においては、被験者が自分で助言を選択しておくことで、無効な助言をなくすものである。
【００１１】
請求項３の発明においては、助言を被験者の周囲の人が選択することで、無効な助言をなくすものである。
【００１２】
請求項４の発明においては、カウンセリングを行ない、結果をもとにカウンセラが助言を選択することで、無効な助言をなくすものである。
【００１３】
請求項５の発明においては、被験者の状態から、あらかじめ用意された類型パターンをもとに、メッセージ群を選択することで、無効な助言をなくすものである。
【発明の効果】
【００１４】
本発明の禁煙支援装置によれば、被験者があらかじめ端末より助言内容を選択し、登録する。助言が必要になったとき、選択された助言の中から選択し表示することにより、無効な助言をなくすることができる。
【発明を実施するための最良の形態】
【００１５】
以下、本発明の実施について、図１〜図４を用いて説明する。
【００１６】
（実施の形態１）
図１は本発明の第１の実施の形態における禁煙支援装置のブロック図とアルゴリズムである。
【００１７】
禁煙支援装置を使用する段階は２段階に分けられ、１段目が本願に記す行動選択データベースの整理にあたる。
【００１８】
図１（ａ）のブロック図において、被験者は被験者端末１から各種入力を行なう。入力はサーバ１内の行動選択データベース４から必要なものを個人習慣データベース３に移動し、被験者が喫煙欲求を覚えた際に与える助言を決定するのに用いられる。
【００１９】
手順のアルゴリズムは図１（ｂ）のようになる。まず、被験者が自ら助言の内容を選択する。これは例えば、助言内容がリストとして表示され、端末から被験者が各選択肢に関し、選択／非選択を入力する、という方法で実現できる。
【００２０】
被験者が喫煙欲求を覚えた際に、あらかじめ選択された個人習慣データベースから助言を１つ選択して表示する。選択の方法はランダムでもシーケンシャルでもよい。
【００２１】
（実施の形態２）
図２は本発明の第２の実施の形態における禁煙支援装置のブロック図とアルゴリズムの一例である。本実施の形態では、第１の実施の形態に比較し、周辺者端末５がある点が異なる。本実施の形態では、被験者自身が助言内容を選択するのではなく、被験者の周辺の人、例えば配偶者が助言内容を選択する点が異なっている。
【００２２】
アルゴリズムは図２（ｂ）のようになる。周辺者が行動選択データベースから被験者の助言に用いる複数の助言を選択する。あとは実施の形態１と同様である。
【００２３】
この方法においては、被験者にマッチした選択肢を被験者が知らない状態であらかじめ用意し、提供できる点が、実施の形態１より優れている。
【００２４】
実際に助言をしてみて、被験者がそぐわないと感じた助言についてはその都度消していく方法を用いてもよい。
【００２５】
（実施の形態３）
図３は本発明の第３の実施の形態における禁煙支援装置のブロック図とアルゴリズムの一例である。図３（ａ）に示すように本実施の形態においては、サーバ２に被験者端末１と面談者端末６の２つが接続されている。
【００２６】
本実施の形態におけるアルゴリズムは図３（ｂ）のようである。はじめに面談者が被験者にカウンセリングを行ない、この結果をもとに面談者が行動選択データベース４の中から被験者に適した助言内容を選択し、個人習慣データベース３に登録する。
【００２７】
被験者が喫煙欲求により助言を求める点は第１、２の実施の形態と同様である。
【００２８】
実際に助言をしてみて、被験者がそぐわないと感じた助言についてはその都度消していく方法を用いてもよい。
【００２９】
（実施の形態４）
図４は本発明の第４の実施の形態における禁煙支援装置のブロック図とアルゴリズムの一例である。図３（ａ）に示すように本実施の形態においては、サーバ２に被験者端末１のみが接続されている。
【００３０】
本実施の形態におけるアルゴリズムは図４（ｂ）のようである。はじめに被験者が自分の情報、例えば年齢、性別、職業、間食の有無などを入力する。入力された情報をもとにサーバ内の類型判断データベース７が行動選択データベースの中から被験者に適切なものを選択する。この場合、行動選択データベースには類型に合わせて何種類かの助言のセットがあり、このうちの一つを選択するようにすると助言内容の選択が容易になる。
【００３１】
実際に助言をしてみて、被験者がそぐわないと感じた助言についてはその都度消していく方法を用いてもよい。
【産業上の利用可能性】
【００３２】
本発明は上記実施の形態より明らかなように、より適切な助言が可能な禁煙支援システムを実現することができる。
【図面の簡単な説明】
【００３３】
【図１】本発明の第１の実施の形態における禁煙支援装置のブロック図およびアルゴリズムの一例を示す図
【図２】本発明の第２の実施の形態における禁煙支援装置のブロック図およびアルゴリズムの一例を示す図
【図３】本発明の第３の実施の形態における禁煙支援装置のブロック図およびアルゴリズムの一例を示す図
【図４】本発明の第４の実施の形態における禁煙支援装置のブロック図およびアルゴリズムの一例を示す図
【符号の説明】
【００３４】
１    被験者端末
２    サーバ
３    個人習慣データベース
４    行動選択データベース
５    周囲者端末
６    面談者端末
７    類型判断データベース
【図１】
2006259977.tif 000003
【図２】
2006259977.tif 000004
【図３】
2006259977.tif 000005
【図４】
2006259977.tif 000006